(57)【特許請求の範囲】
【請求項１】
陶磁器製の平板瓦（１）であって、瓦本体（２）の一側にアンダーラップ（３）を有し、瓦本体の他側にオーバーラップ（４）を有し、瓦本体（２）の裏面に下方へ突出して野地面（２０）に接地する瓦本体支持足（１１）が形成され、アンダーラップ（３）の裏面に流れ方向に延び又は分散点在し、且つ下方へ突出して野地面（２０）に接地するアンダーラップ支持足（１２）が形成され、アンダーラップ（３）の流れ方向中間部であって、アンダーラップ（３）の頭部側縁から尻部側へ、アンダーラップ（３）の流れ方向長さの３０〜７０％だけ入った範囲に野地面（２０）又は桟木（２３）へ釘打ちするためのアンダーラップ釘穴（１３）が形成されてなることを特徴とする平板瓦。
【請求項２】
アンダーラップ釘穴（１３）が、アンダーラップ支持足（１２）を瓦厚方向に貫通するように形成された請求項１記載の平板瓦。
【請求項３】
アンダーラップ支持足（１２）が、アンダーラップ（３）の裏面を流れ方向に連続的に延びるリブ状のアンダーラップ支持足（１２）である請求項２記載の平板瓦。
【請求項４】
アンダーラップ支持足（１２）が、アンダーラップ（３）の裏面を流れ方向に間欠的に延びる分割リブ状のアンダーラップ支持足（１２）である請求項２記載の平板瓦。
【請求項５】
アンダーラップ支持足（１２）が、アンダーラップ（３）の裏面に分散して形成された多数の分散点在状のアンダーラップ支持足である請求項２記載の平板瓦。
【請求項６】
アンダーラップ支持足（１２）が、アンダーラップ（３）の裏面を流れ方向に連続的に延びるリブ状のアンダーラップ支持足（１２）であり、
リブ状のアンダーラップ支持足（１２）におけるアンダーラップ釘穴（１３）の対応箇所に切欠部（１５）が形成され、該切欠部（１５）の底にアンダーラップ釘穴（１３）が開口し、該切欠部（１５）に桟木（２３）を引っ掛けて、該桟木（２３）にアンダーラップ釘穴（１３）から釘（１４）を打つようにされた請求項１記載の平板瓦。
【請求項７】
瓦本体（２）の一側にアンダーラップ（３）を有し、瓦本体（２）の他側にオーバーラップ（４）を有し、瓦本体（２）の裏面に下方へ突出して野地面（２０）に接地する瓦本体支持足（１１）が形成され、アンダーラップ（３）の裏面に流れ方向に延び又は分散点在し、且つ下方へ突出して野地面（２０）に接地するアンダーラップ支持足（１２）が形成され、アンダーラップ（３）の流れ方向中間部であって、アンダーラップ（３）の頭部側縁から尻部側へ、アンダーラップ（３）の流れ方向長さの３０〜７０％だけ入った範囲に野地面（２０）又は桟木（２３）へ釘打ちするためのアンダーラップ釘穴（１３）が形成されてなる平板瓦（１）を、水分率４〜１２％の粘土により乾式成形する工程と、
前記平板瓦（１）の見えがかり部分に釉薬を塗布する工程と、
前記平板瓦（１）を、瓦本体支持足（１１）及びアンダーラップ支持足（１２）が下側となる水平姿勢で、ローラーハースキルン（３１）のハースローラー（３５）に直接載せて、同平板瓦（１）を焼成する工程とを含むことを特徴とする平板瓦の製造方法。
【発明の詳細な説明】
【技術分野】
【０００１】
本発明は、平板瓦及びその製造方法に関する。
【背景技術】
【０００２】
瓦を軽量化しようとすると、瓦本体をはじめとする各部の肉厚を減少させることが必要になる。しかし、瓦本体等の肉厚を減少させると、曲げ強度等が低下し、踏み割れ等の不具合が発生する。この曲げ強度の低下を補うには、特許文献１〜３に記載されたような、瓦裏面の突部（脚壁、リブ、裏足）が効果的であると考えられる。
【０００３】
・特許文献１には、ガラス繊維を配合した合成樹脂で圧縮成型した波状の屋根瓦において、瓦板の裏面に方形枠状の脚壁とその間の格子状の脚壁とを突出したものが記載されている。
・特許文献２には、樹脂で射出成形や注型等により製造される屋根材において、屋根材本体の裏面側に野地板表面に当接する高さの上下方向のリブと左右方向の補強リブとを形成したものが記載されている。
・特許文献３には、乾式プレス加工により成形した後に焼成してなる軽量発泡磁器製の瓦建材において、瓦建材の裏面に、周縁部では周縁突条裏足が、内側では市松模様配列で突状裏足が、ビス孔及びビス孔用凹部の裏側では突状裏足が、それぞれ形成されたものが記載されている。
（特許文献４，５については後述する。）
【特許文献１】実開昭４７−１９２２２号公報
【特許文献２】特開２００３−１９３６２７号公報
【特許文献３】特開平７−３９５０号公報
【特許文献４】特開平１０−２９８５０号公報
【特許文献５】特開平１０−１６７８０１号公報
【発明の開示】
【発明が解決しようとする課題】
【０００４】
しかし、特許文献１〜３の瓦裏面の突部（脚壁、リブ、裏足）は、主として瓦本体を補強するものであって、瓦本体以外の例えばアンダーラップを補強するものはこれまでになかった。平板瓦は、瓦本体の一側にアンダーラップを有し、他側にオーバーラップを有するものが多い。葺設時に、アンダーラップはその大半の部分が野地面から浮いた状態になるため、アンダーラップの肉厚を減少させた場合にはその曲げ強度の低下が問題となる。
【０００５】
また、本発明では、アンダーラップの流れ方向（頭尻方向）中間部を野地面や桟木に釘打ち（ビス止めも含む概念で使用）することを新規要件としているから、その釘打ち時の衝撃により、上記のように野地面から浮いたアンダーラップが割れるおそれがある。
【０００６】
そこで、本発明は、瓦本体及びアンダーラップの肉厚を減少させても、所要の踏み割れ強度を得ることができ、もって軽量化を図ることができるだけでなく、アンダーラップの流れ方向中間部を野地面や桟木に釘打ちして耐風性能を高めることができ、該釘打ち時の衝撃によるアンダーラップの割れを防止することもできる平板瓦を提供することを目的とする。
【０００７】
また、上記の効果を有する平板瓦を、変形しにくく、且つ省エネルギ・省設備・省力で効率的に製造することができる平板瓦の製造方法を提供することを目的とする。
【課題を解決するための手段】
【０００８】
［平板瓦の発明］
本発明は、陶磁器製の平板瓦であって、瓦本体の一側にアンダーラップを有し、瓦本体の他側にオーバーラップを有し、瓦本体の裏面に下方へ突出して野地面に接地する瓦本体支持足が形成され、アンダーラップの裏面に流れ方向に延び又は分散点在し、且つ下方へ突出して野地面に接地するアンダーラップ支持足が形成され、アンダーラップの流れ方向中間部であって、アンダーラップの頭部側縁から尻部側へ、アンダーラップの流れ方向長さの３０〜７０％だけ入った範囲に野地面又は桟木へ釘打ちするためのアンダーラップ釘穴が形成されてなることを特徴とするものである。
【０００９】
瓦本体の尻部の表面に上方へ突出する尻部水返しが形成され、瓦本体の頭部見付けの下端が、アンダーラップの底面よりも、「葺設時に上段の平板瓦のアンダーラップの直下となる箇所の尻部水返しの高さ分」以上に低く設定されて、葺設時に上段の平板瓦の頭部見付けの下端が、瓦本体の表面に当接することにより、上段の平板瓦のアンダーラップの裏面が、尻部水返しの表面に当接しないようになっていることが好ましい。さらに、前記直下箇所の尻部水返しの表面がオーバーラップに形成された尻部水返しの表面より低く設定されることが好ましい。
【００１０】
（１）瓦本体支持足の態様を、次に例示する。
（１−１）瓦本体支持足が、瓦本体の裏面の左右方向に間隔をおいた複数箇所に形成された、流れ方向に連続的に延びるリブ状の瓦本体支持足である態様。
複数箇所の数（リブ状の瓦本体支持足の本数）は、３〜６本が好ましい。
リブ状の瓦本体支持足は、瓦本体の裏面から下方への突出高さが、尻部側から頭部側へ向かうに連れて高くなる、側面視でテーパー状のものであることが好ましい。
リブ状の瓦本体支持足における中間部（例えば後述するアンダーラップ釘穴の対応箇所）に切欠部を形成し、切欠部に桟木を引っ掛けるようにすることができる。
【００１１】
（１−２）瓦本体支持足が、瓦本体の裏面の左右方向に間隔をおいた複数箇所に形成された、流れ方向に間欠的に延びる分割リブ状の瓦本体支持足である態様。
分割リブ状の瓦本体支持足は、上記（１−１）で種々説明した内容のリブ状の瓦本体支持足を流れ方向に分割して形成することができる。この分割で欠かれた部分に桟木を引っ掛けるようにすることもできる。
瓦本体の裏面を左右線で尻部側から頭部側へスキャニングしたときに、常に２つ以上の瓦本体支持足が左右線上に存在するように、複数本の分割リブ状の瓦本体支持足が千鳥状に分割されていることが好ましい。後述するローラーハースキルンにて焼成する際に、ハースローラーに瓦本体支持足が安定的に載っているようにするためである。
【００１２】
（１−３）瓦本体支持足が、瓦本体の裏面のほぼ全域にわたり分散して形成された、多数の分散点在状の瓦本体支持足である態様。
分散点在状の瓦本体支持足の数は、９〜５０本が好ましい。
【００１３】
（２）アンダーラップ支持足の態様を、次に例示する。
（２−１）アンダーラップ支持足が、アンダーラップの裏面を流れ方向に連続的に延びるリブ状のアンダーラップ支持足である態様。
アンダーラップ支持足は、アンダーラップの裏面の１箇所又は２箇所に設けられることが好ましく、その一つの箇所はアンダーラップの裏面の側縁部であることが好ましい。
リブ状のアンダーラップ支持足は、アンダーラップの裏面から下方への突出高さが、尻部側から頭部側へ向かうに連れて高くなる、側面視でテーパー状のものであることが好ましい。
リブ状のアンダーラップ支持足を瓦厚方向に貫通するように、アンダーラップ釘穴を形成することができる。
リブ状のアンダーラップ支持足におけるアンダーラップ釘穴の対応箇所に切欠部を形成し、切欠部の底にアンダーラップ釘穴を開口させ、切欠部に桟木を引っ掛けて、その桟木にアンダーラップ釘穴から釘を打つようにすることもできる。
【００１４】
（２−２）アンダーラップ支持足が、アンダーラップの裏面の左右方向に間隔をおいた複数箇所に形成された、流れ方向に間欠的に延びる分割リブ状のアンダーラップ支持足である態様。
分割リブ状のアンダーラップ支持足は、上記（２−１）で種々説明した内容のリブ状のアンダーラップ支持足を流れ方向に分割して形成することができる。この分割で欠かれた部分に桟木を引っ掛けて、その桟木にアンダーラップから釘を打つようにすることもできる。
【００１５】
（２−３）アンダーラップ支持足が、アンダーラップの裏面に分散して形成された、多数の分散点在状のアンダーラップ支持足である態様。
分散点在状のアンダーラップ支持足の数は、３〜１０本が好ましい。
【００１６】
（３）アンダーラップ釘穴の態様を、次に例示する。
アンダーラップ釘穴を設けるアンダーラップの流れ方向中間部は、アンダーラップの頭部側縁から尻部側へ、アンダーラップの流れ方向長さの１０〜８０％だけ入った範囲であることが好ましく、３０〜７０％だけ入った範囲であることがより好ましい。
アンダーラップ釘穴の数は、１〜２個が好ましい。
上記のとおり、アンダーラップ釘穴は、アンダーラップ支持足を瓦厚方向に貫通するように設けることができる。また、アンダーラップ支持足におけるアンダーラップ釘穴の対応箇所に切欠部を形成した場合には、その切欠部に桟木を引っ掛けて、その桟木に釘を打つようにすることができる。
【００１７】
［平板瓦の製造方法の発明］
本発明は、瓦本体の一側にアンダーラップを有し、瓦本体の他側にオーバーラップを有し、瓦本体の裏面に下方へ突出して野地面に接地する瓦本体支持足が形成され、アンダーラップの裏面に流れ方向に延び又は分散点在し、且つ下方へ突出して野地面に接地するアンダーラップ支持足が形成され、アンダーラップの流れ方向中間部であって、アンダーラップの頭部側縁から尻部側へ、アンダーラップの流れ方向長さの３０〜７０％だけ入った範囲に野地面又は桟木へ釘打ちするためのアンダーラップ釘穴が形成されてなる平板瓦を、水分率４〜１２％の粘土により乾式成形する工程と、
前記平板瓦の見えがかり部分に釉薬を塗布する工程と、
前記平板瓦を、瓦本体支持足及びアンダーラップ支持足が下側となる水平姿勢で、ローラーハースキルンのハースローラーに直接載せて、同平板瓦を焼成する工程とを含むことを特徴とするものである。
【発明の効果】
【００１８】
本発明の平板瓦によれば、瓦本体及びアンダーラップの肉厚を減少させても、所要の踏み割れ強度を得ることができ、もって軽量化を図ることができるだけでなく、アンダーラップの流れ方向中間部を野地面や桟木に釘打ちして耐風性能を高めることができ、該釘打ち時の衝撃によるアンダーラップの割れを防止することもできる。
【００１９】
本発明の平板瓦の製造方法によれば、上記の効果を有する平板瓦を、変形しにくく、且つ省エネルギ・省設備・省力で効率的に製造することができる。
【発明を実施するための最良の形態】
【００２０】
陶磁器製の平板瓦であって、瓦本体の一側にアンダーラップを有し、瓦本体の他側にオーバーラップを有し、瓦本体の裏面に下方へ突出して野地面に接地する瓦本体支持足が形成され、アンダーラップの裏面に流れ方向に延び又は分散点在し、且つ下方へ突出して野地面に接地するアンダーラップ支持足が形成され、アンダーラップの流れ方向中間部であって、アンダーラップの頭部側縁から尻部側へ、アンダーラップの流れ方向長さの３０〜７０％だけ入った範囲に野地面又は桟木へ釘打ちするためのアンダーラップ釘穴が形成されてなる。アンダーラップ釘穴が、リブ状のアンダーラップ支持足を瓦厚方向に貫通するように形成されている。あるいは、リブ状のアンダーラップ支持足におけるアンダーラップ釘穴の対応箇所に切欠部が形成され、該切欠部の底にアンダーラップ釘穴が形成され、該切欠部に桟木を引っ掛けて、該桟木にアンダーラップ釘穴から釘を打つようにされている。
【００２１】
この平板瓦は、水分率４〜１２％の粘土により乾式成形する工程と、該平板瓦の見えがかり部分に釉薬を塗布する工程と、該平板瓦を、瓦本体支持足及びアンダーラップ支持足が下側となる水平姿勢で、ローラーハースキルンのハースローラーに直接載せて、同平板瓦を焼成する工程とを経て製造される。
【実施例】
【００２２】
（実施例１）
図１〜図７は、実施例１の平板瓦１とその焼成方法や葺設状態を示している。この平板瓦１は陶磁器製の一体成形品であって、平面方形状の瓦本体２を有している。瓦本体２は、左右方向の中間に位置する中間部２ａと、中間部２ａの左右両側で表面及び裏面が共に上方へスライドするかたちで隆起した流れ方向に延びる隆起部２ｂ，２ｃとからなる。一方側（本例では左側）の隆起部２ｂは、同段隣の平板瓦１の隆起部２ｃと並んで見せる美観上の目的や、瓦本体２の強度を材料力学的に向上させる目的等で設けられており、そのさらに左側にはアンダーラップ３が形成されている。アンダーラップ３の表面は瓦本体２の中間部２ａの表面より低く、アンダーラップ３の裏面は瓦本体２の中間部２ａの裏面と略同一レベル（同一レベル又はそれより下方へ２ｍｍ以内の範囲）にある。アンダーラップ３の側縁と尻部縁の表面には上方へ突出するアンダーラップ水返し８が形成されている。他方側（本例では右側）の隆起部２ｃはそれ自体がオーバーラップ４を形成しており、オーバーラップ４の下方には同段隣の平板瓦１のアンダーラップ３が差し込まれる。
【００２３】
瓦本体２の尻部の表面には上方へ突出する尻部水返し５が形成され、尻部水返し５の左右途中部２箇所には野地面２０又は桟木へ釘打ちするための尻部釘穴９が形成されている。また、瓦本体２の頭部見付け６（本例では垂れ）の下端が、アンダーラップ３の裏面よりも、「葺設時に上段の平板瓦のアンダーラップ３の直下となる箇所の尻部水返し５の高さ分」以上に低く設定されている。そして、葺設時に上段の平板瓦１の頭部見付け６の下端が、瓦本体２の中間部２ａの表面に当接することにより、上段の平板瓦１のアンダーラップ３の裏面が、尻部水返し５の表面に当接しないようになっている。また、前記直下箇所の尻部水返し５の表面が、左右の隆起部２ｂ，２ｃに形成された尻部水返し５の表面より低く設定されている。また、頭部見付け６の左右方向中央部には、下段の平板瓦１の隆起部２ｂ，２ｃが嵌入する切欠部７が形成されている。
【００２４】
瓦本体２の裏面には下方へ突出して野地面２０に接地する瓦本体支持足１１が形成されている。本実施例の瓦本体支持足１１は、瓦本体２（本実施例では中間部２ａ）の裏面の左右方向に間隔をおいた４箇所に形成された、流れ方向に連続的に延びるリブ状の瓦本体支持足１１である。
【００２５】
アンダーラップ３の裏面には下方へ突出して野地面２０に接地するアンダーラップ支持足１２が形成されている。本実施例のアンダーラップ支持足１２は、アンダーラップ３の裏面の側縁部を流れ方向に連続的に延びるリブ状のアンダーラップ支持足１２である。
【００２６】
本実施例の瓦本体支持足１１及びアンダーラップ支持足１２は、それぞれ瓦本体２の裏面及びアンダーラップ３の裏面から下方への突出高さが、尻部側から頭部側へ向かうに連れて高くなる、側面視でテーパー状のものである。また、瓦本体支持足１１及びアンダーラップ支持足１２の尻部側端は瓦本体２の尻部端まで延びているが、瓦本体支持足１１及びアンダーラップ支持足１２の頭部側端は、瓦本体２の頭部端（頭部見付け６）より尻部側へ、瓦本体２の流れ方向長さの１０〜２０％だけ入った所で終わっており、該瓦本体支持足１１及びアンダーラップ支持足１２の頭部側端の端面は、葺設時に下段の平板瓦１の瓦本体２の尻部端面に当接しうるようになっている。
【００２７】
アンダーラップ３の流れ方向中間部には、野地面２０又は桟木へ釘打ちするためのアンダーラップ釘穴１３が形成されている。本実施例のアンダーラップ釘穴１３は、アンダーラップ３の頭部側縁から尻部側へ、アンダーラップの流れ方向長さの３０〜５０％だけ入った範囲に１個形成されている。また、アンダーラップ釘穴１３は、アンダーラップ支持足１２を瓦厚方向に貫通するように設けられている。
【００２８】
本実施例の平板瓦１の各部の厚さは、次のとおりである。
・瓦本体２の中間部２ａ及び隆起部２ｂ，２ｃ（オーバーラップ４）：５〜８ｍｍ（但し尻部水返し５や瓦本体支持足１１は含めない厚さ）
・アンダーラップ３：５〜７ｍｍ（但しアンダーラップ水返し８やアンダーラップ支持足１２は含めない厚さ）
これに対し、瓦本体支持足１１及びアンダーラップ支持足１２は、突出高さが尻部側端で略０、頭部側端で１０〜２０ｍｍであり、左右幅が突出基端で１０〜２０ｍｍ、突出先端で５〜１５ｍｍであり、すなわち細身のものであるから、平板瓦１の重量増にはあまり影響しない。
従って、従来の瓦本体の厚さが１０〜１６ｍｍ程度であった平均的な陶磁器製の平板瓦の重量と比べると、本実施例の平板瓦１は約１／２にまで軽量化している。
【００２９】
次に、平板瓦１の製造方法を工程順に説明する。
（１）乾式成形
上記のとおり、瓦本体２、アンダーラップ３及びオーバーラップ４を有し、瓦本体支持足１１、アンダーラップ支持足１２及びアンダーラップ釘穴１３を形成した平板瓦１を、金型（図示略）を用いて水分率４〜１２％の粘土により乾式成形する。金型によるプレス圧力は１０００〜４０００Ｎ／ｃｍ2 が好ましい。
【００３０】
（２）施釉
焼成後の平板瓦の見えがかり部分に釉薬を塗布する。
【００３１】
（３）焼成
図４に示すように、施釉後の平板瓦１をローラーハースキルン３１にて焼成する。ローラーハースキルン３１は、入口３２及び出口３３を有するトンネル状に形成された炉体３４を備える。炉体３４には、炉体横断方向に延びるハースローラー３５が炉体長方向の全長にわたって多数本設けられ、駆動装置（図示略）により回転駆動されるようになっている。また、炉体３４には、焼成帯におけるハースローラー３５の上方側に上部バーナー３６が設けられ、ハースローラー３５の下方側に下部バーナー３７が設けられている。
【００３２】
乾式成形された平板瓦１を、リブ状の瓦本体支持足１１及びアンダーラップ支持足１２が下側となる水平姿勢で、且つ、頭尻方向が炉体長方向と平行になる向きで、ハースローラー３５に直接載せ、炉体３４内を走行させる。こうすることで、リブ状の瓦本体支持足１１及びアンダーラップ支持足１２が、各ハースローラー３５の長さ方向に略直交し、複数のハースローラー３５に跨るように載るため、円滑に走行する。こうして、別部材である焼成台車や焼成治具を使わず、周囲に熱遮蔽物の少ない状態で焼成するため、平板瓦１に熱が伝わりやすく、省エネルギ化が可能となる。また、略水平の姿勢で焼成（平置き焼成）するため、平板瓦１の各部の肉厚が薄くても変形しにくい。しかも、設備費が削減でき、焼成台車や焼成治具への瓦セット作業が不要になる。
【００３３】
なお、前に挙げた特許文献４，５には、ローラーハースキルンにて瓦を焼成することについて次の記載がある。しかし、これらはハースローラーの上に種々の治具を介して瓦を載せており、本発明のようにハースローラーに瓦を直接載せる発想ではない。
【００３４】
・特許文献４には、ハースローラーの上に走行セッターを載せ、走行セッターの上に焼成治具を多段積みし、この焼成治具に瓦を平置きして焼成することが記載されている。
・特許文献５には、ハースローラーの上に走行セッターを載せ、走行セッターの上に支持具を設置し、支持具の上に受け板を傾いて支持させ、その受け板に瓦を傾いて支持させて焼成することが記載されている。
【００３５】
次に、平板瓦１の葺設状態を説明する。屋根の野地面２０は、例えば野地板２１の上に防水性の下葺き材２２を敷いて形成されるが、これに限定されるものではない。図５〜図７に示すように、多数の平板瓦１を野地面２０に千鳥葺きに葺設した時に、同段における隣接した平板瓦１は、オーバーラップ４の下方にアンダーラップ３が差込まれて重合する。また、下段の平板瓦１の尻部上に上段の平板瓦１の頭部が部分的に重合し、下段の平板瓦１の瓦本体２の中間部２ａの表面に上段の平板瓦１の頭部見付け６の下端が当接し、下段の平板瓦１の尻部水返し５の表面に対し上段の平板瓦１のアンダーラップ３の裏面は僅かに離れる。また、瓦本体支持足１１及びアンダーラップ支持足１２の各突出端面が、野地面２０に接地する。瓦本体支持足１１及びアンダーラップ支持足１２の頭部側端の端面は、下段の平板瓦１の瓦本体２の尻部端面に当接又は近接する。釘（ビスを含む）１４が、尻部釘穴９及びアンダーラップ釘穴１３を通して、野地面２０へ釘打ちされる。
【００３６】
以上詳述したように、実施例１の平板瓦１によれば、次の作用効果が得られる。
（１）平板瓦１は従来の陶磁器製の平板瓦と比べ、肉厚の減少により約１／２の重量に軽量化されている。
（２）瓦本体支持足１１の突出端面が野地面２０に接地することにより、瓦本体２が裏側からバックアップ支持されるので、肉厚の減少にもかかわらず、所要の踏み割れ強度を得ることができる。
（３）瓦本体２及びアンダーラップ３が、リブ状の瓦本体支持足１１及びアンダーラップ支持足１２により補強され、変形しにくい。
（４）アンダーラップ３の流れ方向中間部を野地面２０に釘打ちして耐風性能を高めることができる。
（５）アンダーラップ支持足１２の突出端面が野地面２０に接地することにより、アンダーラップ３が裏側からバックアップ支持されるので、下段の尻部水返し５の表面からは離れているにもかかわらず、（４）の釘打ち時の衝撃によるアンダーラップ３の割れを防止することができる。
【００３７】
（実施例２）
次に、図８は実施例２の平板瓦１を示している。本実施例の平板瓦１は、瓦本体２の中間部２ａの左右方向中央部に表面及び裏面が共にスライドするかたちで上方へ隆起した隆起部２ｄが設けられている点と、リブ状のアンダーラップ支持足１２におけるアンダーラップ釘穴１３の対応箇所（アンダーラップ釘穴１３の位置を含むその前後箇所）に、桟木２３を引っ掛けるための切欠部１５が形成され、該切欠部１５の底にアンダーラップ釘穴１３が開口し、リブ状の瓦本体支持足１１にも切欠部１５と同じ流れ方向位置に切欠部１６が設けられた点において、実施例１と相違するものであり、その他は実施例１と共通である。
【００３８】
本実施例では、葺設時に、野地面２０に取り付けられた桟木２３に切欠部１５，１６が引っ掛けられ、釘１４がアンダーラップ釘穴１３を通して切欠部１５内の桟木２３に釘打ちされる。よって本実施例の平板瓦１によれば、実施例１と同様の作用効果に加え、より強い風圧力に対応できる耐風性能が得られる。
【００３９】
（実施例３）
次に、図９〜図１１は実施例３の平板瓦１を示している。本実施例の平板瓦１は、リブ状の瓦本体支持足１１の本数が５本に増えるとともに、瓦本体支持足１１の尻部側端及び頭部側端の流れ方向位置が、左右の瓦本体支持足１１で交互に少しずれている点（但し各支持足１１の突出高さは左右方向に見て略同じ）と、リブ状のアンダーラップ支持足１２の本数が２本に増えるとともに、アンダーラップ支持足１２の尻部側端及び頭部側端の流れ方向位置が、左右の支持足１２で少しずれている点（但し各支持足１２の突出高さは左右方向に見て略同じ）とにおいて、実施例１と相違するものであり、その他は実施例１と共通である。
【００４０】
本実施例の平板瓦１によれば、実施例１と同様の作用効果に加え、特にアンダーラップ３の曲げ強度をさらに高めて衝撃による割れをより確実に防ぐことができる。
【００４１】
（実施例４）
次に、図１２は実施例４の平板瓦１を示している。本実施例の平板瓦１は、瓦本体支持足１１及びリブ状のアンダーラップ支持足１２がそれぞれ流れ方向に間欠的に延びる分割リブ状の瓦本体支持足１１及びリブ状のアンダーラップ支持足１２である点において、実施例３と相違するものであり、その他は実施例３と共通である。瓦本体２の裏面を左右線で尻部側から頭部側へスキャニングしたときに、常に２つ以上の瓦本体支持足１１が左右線上に存在するように、分割リブ状の瓦本体支持足１１が千鳥状に分割されている。これにより、ローラーハースキルンにて焼成する際に、ハースローラーに瓦本体支持足１１が安定的に載る。本実施例の平板瓦１によっても、実施例１と同様の作用効果が得られる。
【００４２】
なお、本発明は前記実施例に限定されるものではなく、発明の趣旨から逸脱しない範囲で適宜変更して具体化することもできる。
【図面の簡単な説明】
【００４３】
【図１】本発明の実施例１の平板瓦を示す（ａ）は表面側の斜視図、（ｂ）（ｃ）は裏面側の斜視図である。
【図２】同平板瓦を示す（ａ）は平面図、（ｂ）は底面図である。
【図３】同平板瓦を示す（ａ）は正面図、（ｂ）は背面図、（ｃ）は図２のIIIｃ−IIIｃ線断面図、（ｄ）は左側面図、（ｅ）は右側面図、（ｆ）は図２のIIIｆ−IIIｆ線断面図である。
【図４】同平板瓦を焼成するローラーハースキルンを示す（ａ）は横断面図、（ｂ）は縦断面図である。
【図５】同平板瓦の葺設時の状態を示す表面側の斜視図である。
【図６】同平板瓦の葺設時の状態を示す裏面側の斜視図である。
【図７】同平板瓦の葺設時の状態を示す右側面である。
【図８】本発明の実施例２の平板瓦を示す（ａ）は表面側の斜視図、（ｂ）（ｃ）は裏面側の斜視図である。
【図９】本発明の実施例３の平板瓦を示す（ａ）は表面側の斜視図、（ｂ）（ｃ）は裏面側の斜視図である。
【図１０】同平板瓦を示す（ａ）は平面図、（ｂ）は底面図である。
【図１１】同平板瓦を示す（ａ）は正面図、（ｂ）は背面図、（ｃ）は図２のXIｃ−XIｃ線断面図、（ｄ）は左側面図、（ｅ）は右側面図、（ｆ）は図２のXIｆ−XIｆ線断面図である。
【図１２】本発明の実施例４の平板瓦を示す（ａ）は表面側の斜視図、（ｂ）（ｃ）は裏面側の斜視図である。
【符号の説明】
【００４４】
１    平板瓦
２    瓦本体
２ａ  中間部
３    アンダーラップ
４    オーバーラップ
５    尻部水返し
７    切欠部
８    アンダーラップ水返し
９    尻部釘穴
１１    瓦本体支持足
１２    アンダーラップ支持足
１３    アンダーラップ釘穴
１４    釘
１５    切欠部
１６    切欠部
２０    野地面
２１    野地板
２２    下葺き材
２３    桟木
３１    ローラーハースキルン
３５    ハースローラー
【図１】
0004949995.tif 000002
【図２】
0004949995.tif 000003
【図３】
0004949995.tif 000004
【図４】
0004949995.tif 000005
【図５】
0004949995.tif 000006
【図６】
0004949995.tif 000007
【図７】
0004949995.tif 000008
【図８】
0004949995.tif 000009
【図９】
0004949995.tif 000010
【図１０】
0004949995.tif 000011
【図１１】
0004949995.tif 000012
【図１２】
0004949995.tif 000013